(57)【要約】【課題】  障子貼り用またはカーテンに用いられるレース地において、外部からの透視を遮蔽したい部分を確実に遮蔽すると同時に、外側から見たときの見栄えの低下を防止し、また安価に対応できるようにする。【解決手段】  透かし目のあるレース生地本体２のうち、外部からの透視を遮蔽する箇所に部分的に不織布生地３を貼り合わせて、障子貼り用またはカーテン用のレース生地１とする。この不織布生地３として、厚みが０．１９ｍｍ、密度が０．２２ｇ／ｃｍ３のものを使用することで、通風性や採光性等を保持するとともに、レース生地本体２の柄模様が浮き上るようにし、また、不織布生地３が室内側に位置するようにする。【選択図】        図１
0003111664.tif 000002
【実用新案登録請求の範囲】
【請求項１】
障子貼り用またはカーテン用として用いられるレース生地であって、透かし目のあるレース生地本体のうち、外部からの透視を遮蔽する箇所に部分的に不織布生地が貼着され、この不織布生地の厚みは０．１５〜０．４２ｍｍで、密度は０．２０〜０．２３ｇ／ｃｍ３であることを特徴とする障子貼り用等のレース生地。
【請求項２】
前記不織布生地は、前記レース生地本体の室内側の面に貼着されていることを特徴とする請求項１に記載の障子貼り用等のレース生地。
【請求項３】
前記不織布生地は、予め片面側に接着パウダが付着されたものであることを特徴とする請求項１又は請求項２に記載の障子貼り用等のレース生地。
【考案の詳細な説明】
【技術分野】
【０００１】
本考案は、障子貼り用またはカーテン用として用いられるレース生地において外部からの透視を遮蔽する技術に関する。
【背景技術】
【０００２】
従来、本出願人は障子にレース生地を貼着することにより、通気性や採光性等を良好にするような技術を開示しており（特許文献１参照。）、また、この際、レースの透かし部分を通して室内が外部から見られるのを防止するため、障子枠の上部に透かし目のあるレース生地を貼着し、障子枠の下部に透かして見ることのできない布地を貼着したり、または、レース生地として、透かして見ることのできる透かし部分と、透かして見ることのできない遮蔽部分とを一体にしたレース生地の技術の提案している。（特許文献２参照。）
【特許文献１】特開平１０−３３１５３３号公報
【特許文献２】特開２００３−３２１９７７号公報
【考案の開示】
【考案が解決しようとする課題】
【０００３】
ところが、特許文献２のように、透かし目のあるレース生地を上部に、透かし目のない布地を下部に貼り付ける技術は、手間がかかると同時に、上方の透かし目部分のレース柄模様と下方の透かし目のない布地部分とが混在して異様な見栄えとなり、インテリア製品としての外観性が良くなかった。
また、透かして見ることのできる透かし目部分と、透かして見ることのできない遮蔽部分とを一体にしたレース生地の場合は、製作に手間がかかることに加えてコスト高となるという問題があった。
【０００４】
そこで本考案は、通気性や採光性等のレース地であることの利点を保持したまま、必要な箇所は外部から見えなくなるようにする技術において、インテリア製品としての外観性を損なわないで、しかも安価に構成できるようにすることを目的とする。
【課題を解決するための手段】
【０００５】
上記目的を達成するため本考案は、障子貼り用またはカーテン用として用いられるレース生地において、透かし目のあるレース生地本体のうち、外部からの透視を遮蔽する箇所に部分的に不織布生地を貼着し、この不織布生地の厚みを０．１５〜０．４２ｍｍで、密度を０．２０〜０．２３ｇ／ｃｍ３とした。
【０００６】
このように障子貼り用またはカーテン用として透かし目のあるレース生地本体を使用することにより、通気性や採光性が良好となるが、外部からの透視を遮蔽する箇所に部分的に所定厚み範囲で所定密度範囲の不織布生地を貼着することにより、貼着部分では遮光効果があって室内を見ることができなくなり、しかも光の透過性は完全に損なわれないため、ある程度の明るさは保持でき、しかも通風性を確保することができる。さらに、上記のような所定厚み範囲で所定密度範囲の不織布を貼り合わせることにより、レース生地本体の柄模様等がそのまま浮き上るようになり、見栄えが低下するような不具合がない。
ここで、厚みが０．１５ｍｍ未満で、密度が０．２０ｇ／ｃｍ３未満であると、所望の透視の遮蔽効果をあげることができず、厚みが０．４２ｍｍを超え、密度が０．２３ｇ／ｃｍ３を超えるようになると、レース生地本体の柄模様等の浮上り効果が損なわれるとともに室内が暗くなりがちで、しかも、全体に重量が重くなりすぎるようになる。
【０００７】
また本考案では、前記不織布生地を、レース生地本体の室内側の面に貼着するようにした。
このようにレース生地本体の室内側の面に貼着すれば、外部から見たときの外観性の低下が防止できるとともに、障子枠に貼り付ける場合には、不織布生地が障子枠に貼り付けられるようになり、レース生地本体を貼着することに較べて貼着強度を高めることができる。
【０００８】
また本考案では、前記不織布生地として、予め片面側に接着パウダが付着されたものを使用するようにした。
そして、このような片面側に接着パウダが付着された不織布は一般に市販されているため入手容易であり、アイロン等で加熱するだけで溶融接着することができるため、簡単に作業することができる。
【考案の効果】
【０００９】
障子貼り用またはカーテン用として用いられるレース生地本体のうち、外部からの透視を遮蔽する位置に部分的に不織布生地を貼り付けるようにし、この際、不織布生地の厚みと密度を所定範囲内にすれば、採光性や通風性等を確保したまま外部からの透視を遮蔽することができ、しかも不織布生地を貼着した箇所のレース生地本体の柄模様等を浮き上らせることができる。
この際、不織布生地をレース生地本体の室内側に貼着すれば、外観性の低下が防止され、また、障子貼り用の場合は、障子枠への接着強度を高めることができる。そして、不織布生地として予め接着パウダが付着されたものであれば、容易に入手して作製することができる。
【考案を実施するための最良の形態】
【００１０】
本考案の実施の形態について添付した図面に基づき説明する。ここで図１は本考案の障子貼り用等のレース生地の一例を示す説明図である。
【００１１】
本考案の障子貼り用等のレース生地は、障子枠に貼り付けられる障子紙の代わりのレース生地、またはカーテンとして使用されるレース生地において、室内の見られたくない箇所を外部から隠すための技術であり、レース生地としてのインテリア性を保持し、しかも通気性、採光性等の要求を満たしつつ、透視を遮蔽したい部分を確実に見えなくなるようにするため、所定厚みで所定密度の不織布を貼り合わせることを特徴としている。
【００１２】
すなわち、このようなレース生地１は、図１に示すように、透かし模様等の透かし目を有するレース生地本体２と、このレース生地本体２のうち、外部からの透視を遮蔽したい部分に貼り合わせられる不織布生地３を備えており、この不織布生地３は、厚みが０．１５〜０．４２ｍｍで、密度が０．２０〜０．２３ｇ／ｃｍ３のものである。そして、実施例では、不織布３の繊維はポリエステルとレーヨンの混在であり、アクリル樹脂で結合されるとともに、厚みが０．１９ｍｍで、密度が０．２２ｇ／ｃｍ３のものである。
【００１３】
なお、この不織布生地３は、倉敷繊維加工株式会社製の製品番号Ｐ６２０で、片面には、接着剤としてのＰＥ樹脂パウダが付着されている。
【００１４】
そして、この不織布生地３の貼着面は、レース生地本体２の室内側の面である。
このように室内側に貼り合わせることで、外から見たときの見栄えが悪くならず、また、障子枠に貼り付けるときは、不織布生地３が障子枠側になるため、レース生地本体２を障子枠に貼り付けることに較べて接着強度を高めることができる。
【００１５】
以上のような障子貼り用等のレース生地１は、不織布生地３を貼り合わせた箇所では外部からは視認することができず、しかも不織布生地３を貼り合わせた箇所における通風性や採光性もある程度は確保され、室内の明るさも保持される。
そして、不織布生地３を貼り合わせた箇所においても、光を完全に遮断しないため、レース生地本体２の柄模様が浮き上り、全体から見たときのデザイン性もよい。また、不織布生地３が室内側に貼り合わせられているため、外側から見た見栄えも良好である。
【００１６】
なお、レース生地本体２の不織布生地３を貼り合わせる作業は、不織布生地３の接着パウダ付着面をレース生地本体２側に向けてアイロン等で加熱しながら押え付けるだけで接着が完了するため作業容易である。
【００１７】
そして、上記のようなレース生地１を準備しておき、例えば障子枠に貼り付けるときは、障子枠に液状の感熱型接着剤を塗布して乾燥させた後、このレース生地１の不織布生地３面側を重ねてアイロン等で接着すれば、簡単な作業で貼り付けることができる。
また、カーテンに採用するときは、不織布生地３側の面を室内側に向けて吊り下げるだけでよい。
なお、本実施例では、外部からの透視を遮蔽する箇所として、レース生地本体２の下方部分としているが、必ずしも下方に限定されるものではない。
【産業上の利用可能性】
【００１８】
透かし模様等の透かし目のあるレース生地のうち、外部からの透視を遮蔽する箇所に所定厚み範囲で所定密度範囲の不織布生地を貼着することにより、レース生地にすることの各種利点を保有したまま、外部から見られるという欠点をなくすことができ、しかも、安価に且つ容易に対応することができる。
【図面の簡単な説明】
【００１９】
【図１】本考案に係るレース生地の一例の説明図
【符号の説明】
【００２０】
１…レース生地、２…レース生地本体、３…不織布生地。
【図１】
0003111664.tif 000003